(57)【要約】      （修正有）【課題】コート型及びエプロン型の放射線防護衣を着用した際に、防護衣の左右側面のアームホール部から放射線が侵入しても、確実に乳腺を被曝から防護する放射線防護衣を提供することである。【解決手段】熱可塑性樹脂及び粉末状の放射線遮蔽材料を含有するシート状の放射線防護体の表裏面にシート状体３、４を積層して一体化した略長方形状の放射線防護衣１の上下端部又は端部にゴム状体６を取り付け、該防護衣１の左右両端部に留め具を取り付けて放射線防護衣１を胸部に着脱自在に密着被覆するようにする。【選択図】図２
0003219362.tif 000002
【実用新案登録請求の範囲】
【請求項１】
熱可塑性樹脂及び粉末状の放射線遮蔽材料を含有するシート状の放射性防護体の表面及び裏面にシート状体を積層して一体化した放射線防護衣の上下端部又は端部にゴム状体を取り付け、該防護衣の左右両端部に留め具を取り付けて放射線防護衣を胸部に着脱自在に被覆するよう構成したことを特徴とする放射線防護衣。
【請求項２】
該放射線防護衣は、胸部及び側部を覆う部分が幅広の略長方形状であることを特徴とする請求項１記載の放射線防護衣。
【考案の詳細な説明】
【技術分野】
【０００１】本考案は、医療関係者が放射線防護のために着用する放射線防護衣、詳しくは、放射線防護のため放射線照射時に着用する放射線防護用のブラジャーに関するものである。
【背景技術】
【０００２】従来より、放射線診療当事者等は、放射線被曝を避けるため、放射線遮蔽性を有する鉛や、粉末状のアンチモン系材料、ビスマス系材料、タングステン系材料等を含有させた放射線防護シートを用いて製作された放射線防護衣を着用して作業を行っている。また、該診療放射線従事者のみならず、受診者及び受診者に同伴して放射線診察室に入る者も被曝するため放射線防護衣を着用して入室するケースがある。【０００３】従来、この種の放射線防護衣としてコート型とエプロン型のものが知られている（例えば特許文献１参照）。コート型の防護衣は図５に示すように、中央部で左右に分かれる前身頃１２，１３と後身頃１４とアームホール部１５とを有し、外面側にはベルト通しに通されたアウターベルト１６を有している。【０００４】図６（ａ）、（ｂ）に示すエプロン型の防護衣５０は、前身頃５１とアームホール部５２とを有し、さらに背面部５３は、両肩部及び脇下部から肩胛骨部を覆うとともに、ほぼ左右肩甲骨部の間で交叉した後それぞれ斜め下方に延びる左右一対の帯状部５５を有し、該帯状部５５をベルト部としてウエストに巻き回して前面側で互いに重ね合わせて留め具で接続して使用するものである。
【先行技術文献】
【０００５】
【特許文献】
【特許文献】実用新案登録第３１５５２６８号
【考案の概要】
【考案が解決しようとする課題】
【０００６】しかし、従来の前面部と後面部とを備えたコート型及びエプロン型の放射線防護衣は、放射線が防護衣の左右側面のアームホール部から侵入する恐れがある。特に、乳房の大きい女性が着用した場合、乳房のふくらみにより防護衣が凸状に引っ張られてアームホール部が大きく開くことがあり、放射線がアームホール部から侵入して、乳腺への放射線被曝による乳癌等の発症が深刻な問題となっている。しかし、従来の防護衣ではアームホール部から侵入する放射線を遮蔽することは困難であった。【０００７】したがって、本考案の目的は、放射線が防護衣の左右側面のアームホール部から侵入しても、確実に乳腺を被曝から防護する放射線防護衣（放射線防護用ブラジャー）を提供することである。本考案者らはアームホール部を有するコート型及びエプロン型の放射線防護衣について徹底的に検討した結果、従来のアームホール部を有する放射線防護衣の下に放射線防護用のブラジャーを着用することでアームホール部から侵入する放射線の被曝を低減できることを見出し、更に検討した結果本考案に到達したものである。
【課題を解決するための手段】
【０００８】すなわち、本考案は、（１）熱可塑性樹脂及び粉末状の放射線遮蔽材料を含有するシート状の放射性防護体の表面及び裏面にシート状体を積層して一体化した放射線防護衣の上下端部又は端部にゴム状体を取り付け、該防護衣の左右両端部に留め具を取り付けて放射線防護衣を胸部に着脱自在に被覆するよう構成したことを特徴とする放射線防護衣である。【０００９】（２）該放射線防護衣は、胸部及び側部を覆う部分が幅広の略長方形状であることを特徴とする上記（１）記載の放射線防護衣である。
【考案の効果】
【００１０】本考案の放射線防護衣は、従来のコート型及びエプロン型の放射線防護衣のアームホール部から侵入する放射線が、放射線防護衣の下に着用した放射線防護衣で遮蔽されるため、放射線診療当事者等の放射線被曝を低減できる。特に、女性が着用した場合乳房のふくらみによりアームホール部が拡大してアームホール部から放射線が大量に侵入したとしても、胸部及び側部を被覆した放射線防護衣（放射線防護用のブラジャー）によって放射線被曝を低減できる。また、本考案の放射線防護衣は従来のコート型及びエプロン型の放射線防護衣の下に着用するため、従来の放射線防護衣がそのまま使用できる。
【図面の簡単な説明】
【００１１】
【図１】・・・放射線防護衣（放射線防護用のブラジャー）の表面写真
【図２】・・・放射線防護衣を巻回した状態を示す写真
【図３】・・・放射線防護衣の断面図
【図４】・・・放射線防護衣の着用状態を示す写真
【図５】・・・従来のコート型の放射線防護衣の斜視図
【図６】・・・従来のエプロン型の放射線防護衣の斜視図
【考案を実施するための形態】
【実施例】
【００１２】つぎに、本考案の一実施例について図面にて説明する。図１は本考案の放射線防護衣（放射線防護用のブラジャー）１の表面図であり、図２は身体に巻回した状態を示す図であり、図３は断面図である。図４は作業者（マネキンで代替）が放射線防護衣１を着用した状態を示す図である。【００１３】放射線防護衣１は、図３の断面図に示すように熱可塑性樹脂及び粉末状の放射線遮蔽材料を含有するシート状の放射線防護体２の表面及び裏面に、シート状体３、４が被覆されている。該放射線防護体２の表面に被覆されたシート状体３は図１に示すように、例えば青色に着色されていてもよい。シート状の放射線防護体２及びシート状体３、４は放射線防護衣１の動作を妨げることのないよう可撓性を有する。シート状体３、４は、ポリオレフィン系樹脂、ポリ塩化ビニル系樹脂、ポリウレタン系樹脂その他の柔軟な合成樹脂シート、天然繊維、合成繊維の織布、不織布、編物等の繊維布、あるいは合成樹脂シートの上面に繊維布を被覆して一体化したシートである。シート状体３、４の厚さは特に限定されるものではないが、通常、０．０１〜１．０ｍｍ程度である。繊維布を放射線防護体２の裏面に積層すると通気性が若干発生して蒸れが減少し、下着との滑りも良好となって作業性もよくなる。また、発汗しても汗が繊維布に吸収される。【００１４】放射線防護体２は熱可塑性樹脂と粉末状の放射線遮蔽材料を含むものであって、熱可塑性樹脂は放射線防護体の基材となるとともに、放射線遮蔽性を有する粉末状の金属材料のバインダーとなる。【００１５】熱可塑性樹脂としては、例えば、ポリオレフィン系樹脂、ポリ塩化ビニル系樹脂、ポリウレタン系樹脂等を使用することができる。  ポリオレフィン系樹脂のうち、エチレン・酢酸ビニル共重合体（ＥＶＡ）は、シート化する際の成形加工性が良好であるため好ましい。【００１６】放射線遮蔽性を有する金属材料としては、例えば、鉛、錫、ビスマス、アンチモン、亜鉛、タングステンやこれらの酸化物などがある。硫酸バリウムを用いることもできる。放射線遮蔽性を有する金属材料はその１つを単独で使用しても、２種以上を組み合わせて使用してもよい。鉛は環境及び人体への悪影響が大きいので使用は好ましくない。【００１７】放射線遮蔽性を有する金属材料の平均粒子径は、１〜３００μｍである。金属材料をかかる範囲にすることにより、熱可塑性樹脂に対して分散性もよく、熱可塑性樹脂になじみやすくなるという効果を発揮することができる。【００１８】放射線防護体２は、熱可塑性樹脂、放射線遮蔽性金属及び必要により添加した添加剤を必要量計量した上で、混合攪拌機で混合させ、必要に応じて、未分散物を取り除く目的で濾過すること、あるいは気泡を取り除く目的で減圧脱泡等の処理を行い、得られた組成物を、押出成形、プレス成形等の公知の手段によってシート状に成形加工して製造することができる。かかるシート状の放射線防護体２は、単層でもよく複数層を重ね合わせて積層化してもよい。【００１９】放射線遮蔽性能を備えた放射線防護衣１は、シート状の放射線防護体を所望の形状に裁断し、シート状体に包むか、あるいは表裏にシート状体を貼り合わせ一体化させて放射線防護衣１とすることができ��。放射線遮蔽体をシート状体に縫い合わせる場合には、図３のように放射線防護衣１の縁部を防護するために縁取りテープ５を設け、縫合糸６０を用いて放射線防護体２とシート状体３、４をミシン加工により縫い付ける。これにより、可撓性の放射線防護体２とシーと状体３、４が一体化される。ミシン加工の代わりに放射線防護体２とシート状体３、４の縁部を溶着や接着により一体化してもよい。【００２０】放射線はコート型及びエプロン型の放射線防護衣のアームホール部から侵入するため図１のように放射線防護衣１の胸を覆う部分と放射線防護衣のアームホール部分（胸の側部）の幅を広くすることが重要である。また、放射線防護衣１の両端部の固定位置は着脱作業を容易にするため胸の中央部、又はアームホール部から侵入する放射線を避けた胸側部の近傍に設けることが好ましい。胸の側部に設ける場合は、放射線防護衣１の両端部は重ね合わせて二重にして固定することで両端部からの放射線の侵入を低減できる。本考案の放射線防護衣１は、胸部と胸の側部を覆う部分が幅広で背面部分が細幅の略長方形状であっても、全周囲が幅広の長方形状でもよい。【００２１】また、放射線防護衣１の上下端部又は端部にゴム紐などのゴム状体６が取り付けられている。図４に示すようにゴム状体６により放射線防護衣１の上下端部を装着者の胸部に密着させることができる。また、略長方形状の放射線防護衣１を装着者の胸部に巻き付け固定するため留め具７が放射線防護衣１の両端部に取り付けられている。留め具７としては取扱い性に優れた面ファスナーが好ましい。【００２２】本考案の放射線防護衣１をマネキンＭに着用させた状態を図４に示す。女性が着用した場合乳房のふくらみにより防護衣が凸状に引っ張られて、防護衣１の上又は下端に空隙が生ずる恐れがあるが、図４のように胸部及び胸の両側部を幅広とすることにより、乳房のふくらみが余裕をもって覆われるため防護衣１の上又は下端に空隙が生ずることがない。また、長時間放射線防護衣１を着用すると放射線防護衣がずれる恐れがあるが、肩紐（図示せず）を取り付けることでずれは防止できる。【００２３】放射線防護衣１はその機能を保持するために高い気密性が要求されるが、それに伴って生じる装着者の多量の発汗及びこれに起因する蒸れが問題である。かかる問題は放射線防護体２の裏面に被覆するシート状体４に繊維布を使用すると軽減できるが、シート状体４に通気性を有するメッシュや三次元立体編物（特許第３９４３０１１号参照）を積層するとさらに蒸れが軽減できる。
【産業上の利用可能性】
【００２４】放射線診療当事者等が、コート型及びエプロン型の放射線防護衣を着用する前に本考案の放射線防護衣（放射線防護用ブラジャー）を着用すれば放射線防護衣の左右側部のアームホール部から侵入する放射線を低減することができる。
そのため放射線診療当事者等が乳腺への放射線被曝による乳癌等の発症を心配せずに診療等を行うことができ医療分野での利用可能性が高い。
【符号の説明】
【００２５】１、放射線防護衣
２、放射線防護体
３、放射線防護体表面に被覆されたシート状体
４、放射線防護体裏面に被覆されたシート状体
５、縁取りテープ
６、ゴム状体
７、留め具（面ファスナー）
【図１】
0003219362.tif 000003
【図２】
0003219362.tif 000004
【図３】
0003219362.tif 000005
【図４】
0003219362.tif 000006
【図５】
0003219362.tif 000007
【図６】
0003219362.tif 000008